(57)【要約】【課題】簡易トイレ構成体および簡易トイレにおいて、簡易トイレ用の箱体として、他の用途に使用可能な段ボール等の箱体を使用して全体的な製品コストの削減を図り、使用後に排泄物等を衛生的に格納できるようにする。【解決手段】開口部を有する箱体４に装着されて簡易トイレ１を構成する簡易トイレ構成体２０であって、便座構成体２と、該便座構成体２に装着自在な収容袋３とを備え、前記便座構成体２は、板状体の内方に糞尿取入用の開口部５が形成されると共に、対向する端部のそれぞれに、折り曲げて前記箱体４の開口部に係合する係合片を有する構成とされ、前記収容袋３は、前記便座構成体２の開口部５内に、その下方を挿入した状態にて、その上方開口部が、便座面となる該便座構成体２の上面２ａを覆って、該便座構成体２の周縁部１１に係合可能な大きさを有していることを特徴とする簡易トイレ構成体２０を提供する。【選択図】　　　図１
2004033483.tif 000002
【特許請求の範囲】
【請求項１】
開口部を有する箱体に装着されて簡易トイレを構成する簡易トイレ構成体であって、
便座構成体と、該便座構成体に装着自在な収容袋とを備え、
前記便座構成体は、板状体の内方に糞尿取入用の開口部が形成されると共に、対向する端部のそれぞれに、折り曲げて前記箱体の開口部に係合する係合片を有する構成とされ、
前記収容袋は、前記便座構成体の開口部内に、その下方を挿入した状態にて、
その上方開口部が、便座面となる該便座構成体の上面を覆って、該便座構成体の周縁部に係合可能な大きさを有していることを特徴とする簡易トイレ構成体。
【請求項２】
前記板状体の端部に前記係合片を一の領域から区画する切れ目が形成され、
該切れ目を境に該係合片を折り曲げたときに、前記一の領域に前記収容袋を係合させる係合凸部が形成されることを特徴とする請求項１に記載の簡易トイレ構成体。
【請求項３】
前記便座構成体の開口部内に、切り離し自在な蓋体部が設けられていることを特徴とする請求項１または請求項２に記載の簡易トイレ構成体。
【請求項４】
前記便座構成体は、前記便座構成体の開口部を中にして、互いに並行して一方向に延びる一対の側板部と、これら側板部の両端間に互いに並行して延びる一対の端板部とを有することを特徴とする請求項１から請求項３のいずれかに記載の簡易トイレ構成体。
【請求項５】
前記便座構成体は、３つ以上の平板と、これら各平板間に介装された波板とから形成される段ボール材からなることを特徴とする請求項１から請求項４のいずれかに記載の簡易トイレ構成体。
【請求項６】
前記収容袋は、その内部に凝固剤を含む凝固シートを有することを特徴とする請求項１から請求項５のいずれかに記載の簡易トイレ構成体。
【請求項７】
前記収容袋は、その内部に消臭剤を有することを特徴とする請求項１から請求項６のいずれかに記載の簡易トイレ構成体。
【請求項８】
請求項１から請求項７のいずれかに記載の簡易トイレ構成体と、これら簡易トイレ構成体が装着される箱体とを備えることを特徴とする簡易トイレ。
【発明の詳細な説明】
【０００１】
【発明の属する技術分野】
この発明は、地震や火災等の災害時において、段ボール箱等の箱体と組み合わせて使用可能な簡易トイレを構成するための簡易トイレ構成体および簡易トイレに関する。
【０００２】
【従来の技術】
地震や大火災等の災害時においては、その被害状況によってトイレが使用不能となることが多く、この場合に、簡易に使用可能なトイレの提供が要請されている。
従来、このような場合に使用される簡易トイレとしては、移動・保管等の利便性を考慮して、段ボール材を加工したものが各種提供されている。この種の簡易トイレは、簡易トイレの本体部を構成する箱体が簡易トイレ専用部品として構成されたものであり、また、便座部分の座面が外部に露出するものであった。
【０００３】
【発明が解決しようとする課題】
しかしながら、上記従来の簡易トイレにおいては、簡易トイレの使用部分である箱体が専用品であるため、簡易トイレ一品毎に箱体の製造が必要となり、製品全体のコストが嵩むという問題があった。
また、便座部分の座面が外部に露出する構成であるため、排泄物が座面に付着した場合に、排泄物が座面に浸透するなどして、不衛生な状態になるという問題があった。
【０００４】
この発明は、上述した事情に鑑みてなされたものであって、簡易トイレ用の箱体として、他の用途に使用可能な段ボール等の箱体を使用して全体的な製品コストの削減を図り、使用後に排泄物等を衛生的に格納できる簡易トイレ構成体および簡易トイレを提供することを目的としている。
【０００５】
【課題を解決するための手段】
上記課題を解決するために、この発明は以下の手段を提案している。
請求項１に係る発明は、開口部を有する箱体に装着されて簡易トイレを構成する簡易トイレ構成体であって、便座構成体と、該便座構成体に装着自在な収容袋とを備え、前記便座構成体は、板状体の内方に糞尿取入用の開口部が形成されると共に、対向する端部のそれぞれに、折り曲げて前記箱体の開口部に係合する係合片を有する構成とされ、前記収容袋は、前記便座構成体の開口部内に、その下方を挿入した状態にて、その上方開口部が、便座面となる該便座構成体の上面を覆って、該便座構成体の周縁部に係合可能な大きさを有していることを特徴とする簡易トイレ構成体を提案している。
【０００６】
この簡易トイレ構成体を利用して簡易トイレを使用する際には、はじめに、便座構成体の係合片を箱体の開口部に係合させて装着する。そして、収容袋の下方を便座構成体の開口部を通じて箱体の内部に入れた状態で、収容袋の上方開口部を便座構成体の上面に被せると共に、便座構成体の周縁部に係合させる。
この簡易トイレを使用した後には、収容袋を便座構成体から取り外すと共に、上方開口部を閉塞した状態で箱体内部に収納し、簡易トイレを廃棄することができる。また、便座構成体および箱体を繰り返して使用する場合には、収容袋を便座構成体および箱体から取り外して、収容袋のみを廃棄する。
【０００７】
請求項２に係る発明は、請求項１に記載の簡易トイレ構成体において、前記板状体の端部に前記係合片を一の領域から区画する切れ目が形成され、該切れ目を境に該係合片を折り曲げたときに、前記一の領域に前記収容袋を係合させる係合凸部が形成されることを特徴とする簡易トイレ構成体を提案している。
この発明に係る簡易トイレ構成体によれば、収容袋の上方開口部を係合凸部に係合させるため、収容袋を便座構成体に確実に取り付けることが可能となる。
【０００８】
請求項３に係る発明は、請求項１または請求項２に記載の簡易トイレ構成体において、前記便座構成体の開口部内に、切り離し自在な蓋体部が設けられていることを特徴とする簡易トイレ構成体を提案している。
【０００９】
この発明に係る簡易トイレ構成体によれば、簡易トイレを使用する際に、便座構成体から蓋体部を切り離すことにより開口部が形成されることになる。また、収容袋に排泄物を収容した後に、蓋体部をこの開口部に覆い被せることにより、臭気を遮断することができると共に、ハエ等の侵入を防止することができる。
【００１０】
請求項４に係る発明は、請求項１から請求項３のいずれかに記載の簡易トイレ構成体において、前記便座構成体は、前記便座構成体の開口部を中にして、互いに並行して一方向に延びる一対の側板部と、これら側板部の両端間に互いに並行して延びる一対の端板部とを有することを特徴とする簡易トイレ構成体を提案している。
【００１１】
この発明に係る簡易トイレ構成体によれば、一対の側板部と一対の端板部とが矩形形状を形成するため、箱体として、飲料容器を複数収容する六面体の段ボール等の汎用品を使用することができ、汎用品である箱体を簡易トイレのために製造する必要がなくなる。
【００１２】
請求項５に係る発明は、請求項１から請求項４のいずれかに記載の簡易トイレ構成体において、前記便座構成体は、３つ以上の平板と、これら各平板間に介装された波板とから形成される段ボール材からなることを特徴とする簡易トイレ構成体を提案している。
【００１３】
この発明に係る簡易トイレ構成体によれば、３つ以上の平板と、これら各平板間に介装された波板とから形成される段ボール材からなるので、便座面に簡易トイレの使用者が座る際の荷重に耐える程度の強度を得ることができる。
【００１４】
請求項６に係る発明は、請求項１から請求項５のいずれかに記載の簡易トイレ構成体において、前記収容袋は、その内部に凝固剤を含む凝固シートを有することを特徴とする簡易トイレ構成体を提案している。
【００１５】
この発明に係る簡易トイレ構成体によれば、収容袋の内部には、排泄物の水分を凝固させる凝固シートが設けられているため、収容袋内部において糞尿の流動化を防止でき、良好な衛生状態を保つことができる。
【００１６】
請求項７に係る発明は、請求項１から請求項６のいずれかに記載の簡易トイレ構成体において、前記収容袋は、その内部に消臭剤を有することを特徴とする簡易トイレ構成体を提案している。
この発明に係る簡易トイレ構成体によれば、収容袋の内部に設けられた消臭剤により臭気が外方に漏れ出ることを防止できる。
【００１７】
請求項８に係る発明は、請求項１から請求項７のいずれかに記載の簡易トイレ構成体と、これら簡易トイレ構成体が装着される箱体とを備えることを特徴とする簡易トイレを提案している。
【００１８】
この簡易トイレを使用する際には、はじめに、便座構成体の係合片を箱体の開口部に係合させて装着する。そして、収容袋の下方を便座構成体の開口部を通じて箱体の内部に入れた状態で、収容袋の上方開口部を便座構成体の上面に被せると共に、便座構成体の周縁部に係合させる。
この簡易トイレを使用した後には、収容袋を便座構成体から取り外すと共に、上方開口部を閉塞した状態で箱体内部に収納し、簡易トイレを廃棄することができる。また、便座構成体および箱体を繰り返して使用する場合には、収容袋を便座構成体および箱体から取り外して、収容袋のみを廃棄する。
【００１９】
【発明の実施の形態】
図１から図５はこの発明に係る一実施形態を示しており、この実施の形態に係る簡易トイレ１は、図１に示すように、便座構成体２と、収容袋３と、箱体４とを備えた構成とされている。
便座構成体２は、図２，３に示すように、板状に形成された段ボール材から構成されたものであり、平面視略矩形状に形成されている。この便座構成体２の中央部には、略矩形状の開口部５が形成され、その端部６，６には、切れ目７が形成されている。この開口部５は、予め、板状体８に開口部５の周縁部５ａとなる切れ目５ｂを形成しておき、切れ目５ｂの内側の蓋体部９となる部分を切り離すことによって形成されるものである。
【００２０】
また、切れ目７は、便座構成体２を箱体４に取り付ける際の係合片１０を折り曲げて形成し、かつ、折り曲げた際に、後述する収容袋３の開口部が係合する係合凸部１１を形成するものである。すなわち、図４に示すように、この切れ目７を境に係合片１０を折り曲げることにより、係合片１０が箱体４に係合可能となり、収容袋３を係合する係合凸部１１が形成されることになる。
この係合凸部１１の角部１２は、収容袋３が破れたり、簡易トイレの使用者が怪我をしたりすることを防止するため、なだらかな円弧状に形成されている。なお、係合片１０の角部も、同様になだらかな円弧状に形成されている。
【００２１】
また、便座構成体２は、開口部５を中にして、互いに並行して一方向に延びる一対の側板部１３と、これら側板部１３の両端間に互いに並行して延びる一対の端板部１４とを備えている。側板部１３は、係合片１０を箱体４に係合させた際に、後述する箱体４の開口部の周縁部に当接するようになっている。
【００２２】
蓋体部９は、開口部５を閉塞するためのものであり、その中央部には、開口部９ａが形成されている。この開口部９ａは、図２，３に示すように、予め、Ｈ字状の切れ目９ｃを形成しておき、切れ目９ｃにより囲まれている一対の開口片９ｂを、蓋体部９の裏面９ｄ側に向けて折り曲げることによって形成されるものである。
【００２３】
なお、この実施の形態においては、この板状体８を形成する段ボール材は、図５に示すように、３つの平板１５と、これら各平板１５間に介装された波板１６ａ，１６ｂとから形成されている。この波板１６ａ，１６ｂの波うち方向は、端板部１４，１４を結ぶ方向となっている。
平板１５の端部１５ａは、簡易トイレの使用者が怪我することを防止するため、波状に形成されている。波板１６ａを挟み込む一対の平板１５，１５間の隙間は、波板１６ｂを挟み込む平板１５，１５間の隙間よりも小さく形成されており、簡易トイレに使用する段ボール材としての強度を確保している。
【００２４】
収容袋３は、図６に示すように、袋本体１７と、袋本体１７の底部１７ａに貼着された凝固シート１８とから構成されている。袋本体１７は、ポリエチレン等の薄厚の合成樹脂材料を袋状に形成して、その一端部に開口部（上方開口部）１７ｂが形成されたものであり、水分を含む糞尿等が外部に漏れ出ることを防止できるようになっている。
凝固シート１８は、水分を透過できる袋状の透過シート１９と、この透過シート１９内に設けられた凝固剤２０とを備えており、この凝固剤２０は、糞尿等の水分を吸収すると共に、この水分を凝固させる機能を有するものである。
【００２５】
箱体４は、図７に示すように、六面体からなる段ボール箱であり、各種飲料水が充填されたアルミ缶・ペットボトル等の容器を複数個収容する、所謂汎用品である。この箱体４においては、その上部の周縁部４ａに形成されている段ボール箱の蓋となる部分を内方に折り返すことにより、開口部４ｂが形成されるようになっている。
この構成において、便座構成体２および収容袋３は、図１に示すように、箱体４と共に簡易トイレ１として機能するための簡易トイレ構成体２０を構成している。
【００２６】
以上のように構成された簡易トイレ１の組み立て方法について説明する。
はじめに、図３に示すように、便座構成体２から蓋体部９を切り離し、開口部５を形成する。次いで、図４に示すように、係合片１０を端板部１４に対して折り曲げる。そして、図８に示すように、係合片１０を箱体４の開口部４ｂに係合させて、便座構成体２を箱体４に装着する。この状態では、側板部１３が開口部４ｂの周縁部４ａに当接することになる。
最後に、収容袋３の底部１７ａを便座構成体２の開口部５に挿入して箱体４の内部に入れ、収容袋３の開口部１７ｂを、便座面となる便座構成体２の上面２ａに被せると共に、係合凸部１１に係合させる。これにより、図１に示す簡易トイレ１の組み立てが完了し、簡易トイレ１の使用が可能となる。
【００２７】
この簡易トイレ１を使用する際には、収容袋３に覆われた便座構成体２の上面に座る。
この簡易トイレ１では、複数人数で一定期間の排泄物を収容できるようになっており、各人がこの簡易トイレ１を使用する毎に、蓋体部９を開口部５に覆い被せることにより、開口部５を閉塞できるようになっている。この開口部５を閉塞することにより、排泄物の臭気を遮断すると共に、ハエ等の侵入を防止することができる。
【００２８】
開口部５が蓋体部９により閉塞された状態から、簡易トイレ１を使用する場合には、使用者が、開口部５から蓋体部９を取り外し、使用の終了後に再び蓋体部９を開口部５に覆い被せる。このように、蓋体部９を移動させる際には、使用者が、指を蓋体部９の開口部９ａに挿入すると共に、開口片９ｂに係合させて、蓋体部９を持ち上げる。
【００２９】
簡易トイレ１を使用して、収容袋３内に収容された排泄物が所定量に達した場合には、収容袋３を係合凸部１１から取り外し、収容袋３の開口部１７ｂを閉塞した状態で箱体４内に収納する。そして、簡易トイレ１を焼却することにより、排泄物を廃棄することができる。
また、使用態様によっては、収容袋３を便座構成体２および箱体４から取り外して、収容袋３のみを廃棄する。そして、これら便座構成体２および箱体４を再度利用して、未使用の新しい収容袋を取り付けるとしてもよい。
【００３０】
上記の簡易トイレ構成体１によれば、簡易トイレ１を使用した後に、収容袋３を便座構成体２の係合凸部から取り外すと共に、開口部１７ｂを閉塞した状態で箱体４内部に収納し、簡易トイレ１を廃棄することができるため、周囲の環境を衛生的に保つことができる。
【００３１】
また、簡易トイレ１を使用する際に、簡易トイレ１の使用者が座る便座構成体２の上面２ａが、収容袋３により覆われているため、人体からの汗や排泄物が便座構成体２に染みこむことがなく、衛生的に使用することが可能となる。
さらに、収容袋３のうち、上面２ａを覆う部分に排泄物が付着しても、収容袋３のみを取り替えるだけで、人体に触れる上面２ａを清潔に保って、簡易トイレ１を使用する際の衛生状態をより良好に保持できる。
【００３２】
また、収容袋３に排泄物を収容した後に、蓋体部９を開口部５に覆い被せることにより、排泄物の臭気を遮断できると共に、ハエ等の侵入を防止できるため、簡易トイレ１を良好な衛生状態において使用することが可能となる。
さらに、収容袋３の内部には、排泄物の水分を凝固させる凝固シート１８が設けられているため、収容袋３内部において糞尿の流動化を防止でき、良好な衛生状態を保つことができる。
【００３３】
また、汎用品である箱体４を簡易トイレ１のために製造する必要がないため、簡易トイレ１として機能するための簡易トイレ構成体２０の構成を簡素化して、簡易トイレ１の製造コストの削減を図ることができる。
さらに、収容袋３の開口部１７ｂを係合凸部１１に係合させるため、収容袋３を便座構成体２に確実に取り付けることが可能となる。
【００３４】
また、板状体８を形成する段ボール材は、３つの平板１５と、これら各平板１５間に介装された波板１６ａ，１６ｂとからなるので、便座面となる上面２ａに簡易トイレ１の使用者が座る際の荷重に耐える程度の強度を得ることができる。さらに、蓋体部９を移動させる際には、使用者が、指を蓋体部９の開口部９ａに挿入すると共に開口片９ｂに係合させて、蓋体部９を持ち上げるため、蓋体部９の開口部５への取り付け、取り外しが容易となる。
【００３５】
なお、上記の実施の形態においては、便座構成体２を形成する段ボール材が、３つの平板１５および各平板１５間に介装される波板１６ａ，１６ｂから形成されるとしたが、これに限ることはなく、３つ以上の平板および各平板間に介装される波板から形成されていればよい。
また、収容袋３の内部に排泄物の臭気を消臭する消臭剤を設けるとてもよい。この場合には、消臭剤により臭気が外方に漏れ出ることを防止できる。
【００３６】
以上、本発明の実施形態について図面を参照して詳述したが、具体的な構成はこの実施形態に限られるものではなく、本発明の要旨を逸脱しない範囲の設計変更等も含まれる。
【００３７】
【発明の効果】
以上説明したように、請求項１および請求項８に係る発明によれば、簡易トイレを使用した後に、収容袋を便座構成体から取り外すと共に、その上方開口部を閉塞した状態で箱体内部に収納し、簡易トイレを廃棄することができるため、周囲の環境を衛生的に保つことができる。
また、便座面となる便座構成体の上面が収容袋により覆われるため、収容袋のみを取り替えることにより、人体に触れる便座面を清潔に保って、簡易トイレを使用する際の衛生状態を良好に保持できる。
【００３８】
また、請求項２に係る発明によれば、収容袋の上方開口部を係合凸部に係合させるため、収容袋を便座構成体に確実に取り付けることが可能となる。
【００３９】
また、請求項３に係る発明によれば、収容袋に排泄物を収容した後に、蓋体部を便座構成体の開口部に覆い被せることにより、臭気を遮断することができると共に、ハエ等の侵入を防止することができる。したがって、簡易トイレを良好な衛生状態において使用することが可能となる。
【００４０】
また、請求項４に係る発明によれば、汎用品である箱体を簡易トイレのために製造する必要がないため、簡易トイレとして機能するための簡易トイレ構成体の構成を簡素化して、簡易トイレの製造コストの削減を図ることができる。
【００４１】
また、請求項５に係る発明によれば、３つ以上の平板と、これら各平板間に介装された波板とから形成される段ボール材からなるので、便座面に簡易トイレの使用者が座る際の荷重に耐える程度の強度を得ることができる。
【００４２】
また、請求項６に係る発明によれば、収容袋の内部には、排泄物の水分を凝固させる凝固シートが設けられているため、収容袋内部において糞尿の流動化を防止でき、良好な衛生状態を保つことができる。
【００４３】
また、請求項７に係る発明によれば、収容袋の内部に設けられた消臭剤により臭気が外方に漏れ出ることを防止できる。
【図面の簡単な説明】
【図１】この発明の一実施形態に係る簡易トイレを示す斜視図である。
【図２】図１の簡易トイレにおいて、便座構成体を示す平面図である。
【図３】図１の簡易トイレにおいて、便座構成体から蓋体部を切り離した状態を示す斜視図である。
【図４】図１の簡易トイレにおいて、便座構成体の係合片を折り曲げた状態を示す斜視図である。
【図５】図１の簡易トイレにおいて、板状体を形成する段ボール材の要部を示しており、（ａ）は拡大断面図、（ｂ）は拡大平面図である。
【図６】図１の簡易トイレにおいて、収容袋を示す概略構成図である。
【図７】図１の簡易トイレにおいて、箱体を示す斜視図である。
【図８】図１の簡易トイレにおいて、便座構成体を箱体に取り付けた状態を示す斜視図である。
【符号の説明】
１　簡易トイレ
２　便座構成体
２ａ　上面
３　収容袋
４　箱体
４ｂ　開口部
５　開口部
５ａ　周縁部
５ｂ　切れ目
６　端部
７　切れ目
８　板状体
９　蓋体部
１０　係合片
１１　係合凸部（周縁部）
１３　側板部
１４　端板部
１５　平板
１６ａ，１６ｂ　波板
１７　袋本体
１７ｂ　開口部（上方開口部）
１８　凝固シート
２０　凝固剤
【図１】
2004033483.tif 000003
【図２】
2004033483.tif 000004
【図３】
2004033483.tif 000005
【図４】
2004033483.tif 000006
【図５】
2004033483.tif 000007
【図６】
2004033483.tif 000008
【図７】
2004033483.tif 000009
【図８】
2004033483.tif 000010